(57)【要約】      （修正有）【課題】フックを尾部に連結する利点をそのまま生かしつつ、フックがラインを拾ってもラインが外れ易くなるよう工夫された、新規且つ有用なルアーを提供する。【解決手段】ボディ３の尾部側と頭部５側との間にガイド軸１５が架設され、テールフック２５がフック用ハリス２７とスプリットリング３１を介して連結されている。テールフック２５がラインＬを拾ったときに、ラインＬにテンションをかけると、テールフック２５の円弧部２６がラインＬを折り曲げるように強制的に当たるので、テールフック２５がラインＬに引き摺られて、頭部５側に移動していく。そして、テールフック２５が頭部５側の移動限界位置に到達すると、テールフック２５の円弧部２６が、ラインＬを折り曲げる位置から外れて、回転可能になる。従って、テールフック２５はラインＬから容易に外れる。【選択図】図５
2020124120.tif 000002
【特許請求の範囲】
【請求項１】
尾部側と頭部側との間にガイドレールが架設されたボディと、前記ガイドレールに沿って移動可能且つ自軸回りに回転可能に取付けられる取付け部を有するフックを備え、
前記フックが頭部側の移動限界位置に到達すると、ラインアイよりも先方に突出可能になっていることを特徴とするルアー。
【請求項２】
請求項１に記載したルアーにおいて、
ガイドレールはガイド軸で構成され、取付け部は前記ガイド軸に摺動可能に取付けられたリングと前記リングに通されたフック用ハリスで構成されていることを特徴とするルアー。
【請求項３】
請求項２に記載したルアーにおいて、
ガイド軸はワイヤーで構成されており、その両端部が尾部側と頭部側にそれぞれ固定されていることを特徴とするルアー。
【請求項４】
請求項１から３のいずれかに記載したルアーにおいて、
フックの頭部側の移動限界位置は鼻先になっていることを特徴とするルアー。
【請求項５】
請求項１から４のいずれかに記載したルアーにおいて、
アシストフックがラインアイに取付けられていることを特徴とするルアー。
【請求項６】
請求項１から５のいずれかに記載したルアーにおいて、
メタルジグタイプで構成されていることを特徴とするルアー。
【発明の詳細な説明】
【技術分野】
【０００１】
本発明は、魚釣りに用いるルアーに関するものである。
【背景技術】
【０００２】
ルアーは魚等に似せて形成されたものであり、金属製、プラスチック製、木製のものがあるが、このうち、金属製のルアー、すなわちメタルジグは比重が大きく沈み込み易いことから、アクションを比較的加え易く、ジギング（釣法）にはよく利用されている。
このメタルジグは、通常、尾部にフックが連結されており、後方から魚が捕食しようとする場合に備えて設けられている。
しかしながら、ルアーに激しくアクションを加えると、フックがラインを拾ってしまうことが多々ある。尾部に連結されたフックが一旦ラインを拾ってしまうと、ラインは引っ掛かった状態のまま外れ難いため、キャスティングが無駄になってしまう。このラインが引っ掛かった状態は「エビになる」と言われている。フックをトレブルフックからシングルフックに代えても外れ難いことには変わりない。
【０００３】
その欠点を解消するものとして、特許文献１では、ラインアイに紐材を介してフックが連結されたタイプが記載されている。これは「アシストフック」と言われており、フックがラインを拾ってしまっても外れ易くなっている。また、紐材を介することにより、ルアーをくわえた魚の動きがルアーに伝わり難くなっている。
【先行技術文献】
【特許文献】
【０００４】
【特許文献１】特開２００１−３２１０２３号公報
【発明の概要】
【発明が解決しようとする課題】
【０００５】
而して、特許文献１では、魚がルアーの腹部、目玉部分等を狙って食い付くことが多いとの前提で上記したようにフックの連結位置が変えられているが、魚の種類によっては、後ろから追い食いするので、尾部にフックを連結しないとフッキングし難いことがあり、フックの連結位置を変更することでの対処では、ルアーに期待される疑似餌としての役割が十分に果たせない。
本発明は上記従来の問題点に着目して為されたものであり、フックを尾部に連結する利点をそのまま生かしつつ、フックがラインを拾ってもラインが外れ易くなるよう工夫された、新規且つ有用なルアーを提供することを、その目的とする。
【課題を解決するための手段】
【０００６】
本発明は上記課題を解決するためになされたものであり、請求項１の発明は、尾部側と頭部側との間にガイドレールが架設されたボディと、前記ガイドレールに沿って移動可能且つ自軸回りに回転可能に取付けられる取付け部を有するフックを備え、前記フックが頭部側の移動限界位置に到達すると、ラインアイよりも先方に突出可能になっていることを特徴とするルアーである。
【０００７】
請求項２の発明は、請求項１に記載したルアーにおいて、ガイドレールはガイド軸で構成され、取付け部は前記ガイド軸に摺動可能に取付けられたリングと前記リングに通されたフック用ハリスで構成されていることを特徴とするルアーである。
【０００８】
請求項３の発明は、請求項２に記載したルアーにおいて、ガイド軸はワイヤーで構成されており、その両端部が尾部側と頭部側にそれぞれ固定されていることを特徴とするルアーである。
【０００９】
請求項４の発明は、請求項１から３のいずれかに記載したルアーにおいて、フックの頭部側の移動限界位置は鼻先になっていることを特徴とするルアーである。
【００１０】
請求項５の発明は、請求項１から４のいずれかに記載したルアーにおいて、アシストフックがラインアイに取付けられていることを特徴とするルアーである。
【００１１】
請求項６の発明は、請求項１から５のいずれかに記載したルアーにおいて、メタルジグタイプで構成されていることを特徴とするルアーである。
【発明の効果】
【００１２】
本発明のルアーによれば、フックを尾部に連結する利点をそのまま生かしつつ、フックがラインを拾ってもラインが外れ易くなっている。
【図面の簡単な説明】
【００１３】
【図１】本発明の第１の実施の形態に係るメタルジグタイプのルアーの斜視図である。
【図２】図１のルアーの側面図である。
【図３】図１のルアーの上面図である。
【図４】図１のルアーにおけるフックが拾ったラインの外れ動作のイメージ図である。
【図５】図４に続くラインの外れ動作のイメージ図である。
【図６】図５に続くラインの外れ動作のイメージ図である。
【図７】図６に続くラインの外れ動作のイメージ図である。
【図８】第２の実施の形態に係るメタルジグタイプのルアーの斜視図である。
【図９】図８のルアーの側面図である。
【図１０】第３の実施の形態に係るメタルジグタイプのルアーの斜視図である。
【図１１】図１０のルアーの上面図である。
【発明を実施するための形態】
【００１４】
本発明の第１の実施の形態に係るルアー１について、図面にしたがって説明する。
このルアー１はメタルジグタイプになっており、図１〜図３に示すように、ボディ３は鉛等の比重の大きい金属製で小魚の形状に似せて細長く成形されている。図２の左側が頭部５側であり、目玉７が形成されている。反対側の右側が尾部９である。そして、上側が背側１１で、下側が腹側１３となっている。
【００１５】
このボディ３には、ガイド軸１５が固定されている。このガイド軸１５は断面円形の金属製の剛性ワイヤーで構成されており、その両端部１７、１９がほぼ垂直に同じ方向に折り曲げられている。両端部１７、１９がボディ３の背側１１に固定されており、頭部５側の端部１７は鼻先２１に固定されている。上記の固定により、ガイド軸１５は背側１１に沿って頭部５と尾部９の間で架設されており、直状の中間部２３が背側１１より上方で背側１１に沿って延びた状態となっている。
【００１６】
符号２５はフック（釣針）を示す。このフック２５はシングルフックになっている。フック２５にフック用ハリス２７が接続され、結束具２９によって結束されている。フック用ハリス２７は結束されて環状になっており、スプリットリング３１に連結されている。このスプリットリング３１はガイド軸１５にも連結されている。
スプリットリング３１はガイド軸１５に対して遊嵌状態になっており、ガイド軸１５の（端部１７〜中間部２３〜端部１９）の全体にわたって摺動可能なだけでなく、ガイド軸１５の軸回りに回転することも、ガイド軸１５に対して傾斜することも可能となっている。
【００１７】
従って、フック２５は、フック用ハリス２７と一体となって、ボディ３に対して頭部５と尾部９との間で移動して、フック２５の向きを円弧部２６が先方にくるように変えることも可能になっている。また、フック用ハリス２７とスプリットリング３１との連結により、フック２５は、フック用ハリス２７と一体となって、自軸回りに回転させることも可能となっている。このように、フック２５の動きの自由度が確保されている。
ガイド軸１５の中間部２３は、キャスティングの際に空気抵抗にならないように、ボディ３の背側１１にできるだけ近づけるのが好ましく、上記ではスプリットリング３１が自由に動けるようある程度の間隔を残して近づいている。
【００１８】
このフック２５を、別のフックと区別するために、以下では、「テールフック２５」と記載する。
ルアー１にアクションを加えることで、ターゲットとする魚を誘って、ルアー１を捕食するように仕向けることが可能となっている。なお、テールフック２５は上記したように頭部５側と尾部９側との間で移動可能になっているが、水中では水流抵抗を受けるので頭部５側に一旦は移動しても尾部９側に戻るようになっており、テールフックとしての機能を果たす。
【００１９】
また、ボディ３の頭部５にはラインアイ（止め輪）３３が固定されている。図４に示すように、このラインアイ３３はラインＬが接続されるループ部３５を有しており、基部３７がボディ３の長手方向にほぼ沿うように固定されて、ループ部３５がボディ３の先方に突設されている。
ラインアイ３３には、ラインＬがスイベル３９を介して接続されている。また、フッキングし易いように、アシストフック（釣針）４１も連結されている。アシストフック４１はテールフック２５と同じタイプのシングルフックになっている。このアシストフック４１もテールフック２５と同様に、フック用ハリス４３および結束具４５を介して、ラインアイ３３に連結されている。
【００２０】
ルアー１は上記のように構成されており、テールフック２５側のスプリットリング３１がガイド軸１５の頭部５側の端部１７に当たると、すなわちテールフック２５が移動限界位置に到達すると、それ以上の頭部５側への移動は阻止される。
この移動限界位置に到達したときに、テールフック２５をボディ３の頭部５より先側に引き出すと、ラインアイ３３よりも先方に突出する。なお、ラインアイ３３からの突出度合であるが、テールフック２５の露出部分全体（すなわち、結束具２９で隠れた部分を除いた部分）という意味ではなく、後述するように、テールフック２５からラインＬが外れるのに十分な程度という意味である。
【００２１】
ルアー１の通常の使用中は、テールフック２５はフック機能が維持され、ガイド軸１５の存在によるルアー１のアクションへの悪影響は抑制される。
【００２２】
次に、このルアー１のテールフック２５からのラインＬの外れ動作について、図４〜図７にしたがって説明する。
図４に示すように、テールフック２５がラインＬを拾ったときに、図５に示すように、ラインＬにテンションをかけると、テールフック２５の円弧部２６がラインＬを折り曲げるように強制的に当たるので、テールフック２５がラインＬに引き摺られて、テールフック２５の円弧部２６が先方を向く方向に回動しながら、頭部５側に移動していく。その際には、ボディ３側のガイド軸１５の中間部２３に対してテールフック２５側のスプリットリング３１がガイド摺動される。
【００２３】
そして、テールフック２５が頭部５側の移動限界位置の近傍に到達すると、すなわち、ボディ３側のガイド軸１５の端部１７にテールフック２５側のスプリットリング３１が当たると、図６に示すように、テールフック２５の円弧部２６がラインアイ３３よりも先方に突出する。この状態では、テールフック２５はラインＬに対して動けるようになっており、図７に示すように、テールフック２５はラインＬから容易に外れる。
ラインＬにテンションを与えるだけで、図４から図７までの動作は瞬時に進行する。
【００２４】
上記したようにラインアイ３３にはアシフトフック４１も連結されており、テールフック２５が頭部５側にくると、アシストフック４１と絡み合うこともあるが、いずれも、自軸回りに回転可能な上に、フック用ハリス２７、４３の弛みを利用した動きも可能になっており、ルアー１にアクションを適当に与えれば容易に外れる。
【００２５】
なお、このルアー１は上記ではテールフック２５を連結した状態のものが示されているが、状況によってフックを使い分けることは常識であり、テールフック２５を連結せずに使用することを排除するものではない。
【００２６】
本発明の第２の実施の形態に係るルアー４９について、図８、図９にしたがって説明する。
このルアー４９は、ルアー１と同じ形状のボディ３に、ガイド軸１５が固定されているが、このガイド軸１５の両端部１７、１９はボディ３の腹側１３に固定されている。
このように、ガイド軸１５の固定位置を変えても、ルアー１と同様に図４〜図７に示すように、ラインＬからテールフック２５が外れる。
【００２７】
本発明の第３の実施の形態に係るルアー５１について、図１０、図１１にしたがって説明する。
このルアー５１は、ルアー１と同じ形状のボディ３に、ガイド軸１５が固定されているが、このガイド軸１５の両端部１７、１９はボディ３の背側１１と腹側１３の中間に固定されている。
このように、ガイド軸１５の固定位置を変えても、ルアー１と同様に図４〜図７に示すように、ラインＬからテールフック２５が外れる。
【００２８】
以上、本発明の実施の形態について詳述してきたが、具体的構成は、この実施の形態に限られるものではなく、本発明の要旨を逸脱しない範囲における設計の変更などがあっても発明に含まれる。
例えば、ボディ側のガイドレールと、テールフック側の取付け部は、取付け部を尾部側から頭部側へ移動させることが可能なものであればよく、素材としての強度を確保できるのであればプレートに長穴を打抜いて形成したものをガイドレールとし、そこに取付け部のリングを摺動させる構成にすることも考えられる。
また、ボディに連結するフックのタイプもシングルフックに限定されない。更に、フックは、テールフックとアシストフックに限定されず、例えば、ルアーに第３のフックとして腹側に別のフックを連結させることも可能である。
【００２９】
また、本発明のルアーは、上記の実施の形態では、メタルジグタイプのボディを有するものに適用されているが、これに限定されず、素材、形状等の点からテールフックへのラインの絡みが問題になるタイプのルアーがあるならば、または将来案出されるならば、そのタイプのルアーにも適用可能である。
【符号の説明】
【００３０】
１…ルアー（第１の実施の形態）
３…ボディ        ５…頭部        ７…目玉    ９…尾部  １１…背側
１３…腹側        １５…ガイド軸  １７…頭部側の端部      １９…尾部側の端部
２１…鼻先        ２３…中間部    ２５…テールフック      ２６…円弧部
２７…フック用ハリス              ２９…結束具            ３１…スプリットリング
３３…ラインアイ  ３５…ループ部  ３７…基部              ３９…スイベル
４１…アシストフック              ４３…フック用ハリス    ４５…結束具
４９…ルアー（第２の実施の形態）
５１…ルアー（第３の実施の形態）
Ｌ…ライン
【図１】
2020124120.tif 000003
【図２】
2020124120.tif 000004
【図３】
2020124120.tif 000005
【図４】
2020124120.tif 000006
【図５】
2020124120.tif 000007
【図６】
2020124120.tif 000008
【図７】
2020124120.tif 000009
【図８】
2020124120.tif 000010
【図９】
2020124120.tif 000011
【図１０】
2020124120.tif 000012
【図１１】
2020124120.tif 000013